(57)【要約】本発明は、水の吸収層と研磨、しつこい汚れ除去層を接着によって一つ又はそれ以上連続的に付着させ、洗浄物や洗浄部位の水気や残余物などをきれいに拭き取ることによる洗浄力の優秀さに加え、耐久性及び材質の特性上、頻繁に使用しても容易に破損しない多目的洗浄用パッドに関するものである。【選択図】図１
2014510584.tif 000002
【特許請求の範囲】
【請求項１】
セルフォース（ＣＥＬＬＵ  ＦＯＲＣＥ）、ＰＶＡスポンジ、天然パルプ、極細糸からなる合成織物、毛織物（ＷＯＯＬ）、絹織物（ＳＩＬＫ）、綿織物（ＣＯＴＴＯＮ）、アクリル糸、ビスコースレーヨン（ＶＩＳＣＯＳＥ  ＲＡＹＯＮ）のうち、いずれか一つからなる水の吸収層（１０）と；
前記水の吸収層（１０）の一面に接着剤（３０）を塗布して具備された、メラミン樹脂フォーム（ＭＥＬＡＭＩＮ  ＲＥＳＩＮ  ＦＯＡＭ）からなるスポンジ、ナイロン不織布、ポリウレタン、ベルクロ不織布、ステンレス圧延糸、銅糸、ポリエステルのうち、いずれか一つからなるしつこい汚れ除去層（２０）で構成されることを特徴とする多用途洗浄用パッド。
【請求項２】
前記水の吸収層（１０）としつこい汚れ除去層（２０）の間には、接着剤（３０）によって付着したセルフォース（ＣＥＬＬＵ  ＦＯＲＣＥ）、スポンジ、合成樹脂、ポリウレタンフォームのうち、いずれか一つであるクッション層（４０）が具備されることを特徴とする請求項１に記載の多用途洗浄用パッド。
【発明の詳細な説明】
【技術分野】
【０００１】
本発明は多用途洗浄用パッドに関するもので、より詳細には、パッドの積層構造を改善し、使用時の水の吸収力と復元力を向上させ、使用及び保管の容易さに加え、表面を研磨したり、しつこい汚れを効果的に除去することができ、材質の特性上、耐久性に優れ、頻繁に使用しても容易に破損しない多用途洗浄用パッドに関するものである。
【背景技術】
【０００２】
一般的に家庭や食堂などで使われるたわしには、ナイロン不織布やポリウレタン材質の合成樹脂材及びアルミニウムやステンレスワイヤーで作られた金属たわしがある。このようなたわしの共通的な特徴は、素材が硬質であるか中間程度の粗い素材からなっていて、ブラシのように食器の表面の異物をかき出す洗浄作用には優れている反面、きめの粗い組織や構造を持っているために水を保有する含水性能には非常に劣っている。このため、従来のたわしで器などを洗浄する際は、持続的に水を供給したり洗剤を頻繁に付けなければならないため、水や洗剤の浪費を招くという問題点があった。また、従来の布やスポンジで形成された布巾は含水性には優れているものの、材質が軟質なために食器表面の異物を除去するには相対的に弱く、きれいな洗浄作業が難しいという問題点があった。
【０００３】
近ごろでは、メラミン樹脂フォームからなる極細組織の特性をもつスポンジで作られた、色々な種類の洗浄具が提供されているが、このような製品はメラミン樹脂フォームからなる単一体のスポンジのみで作られており、洗浄物を洗浄した後に洗浄部分の水気や残余物などを別の布やぞうきんなどを使ってきれいに拭き取らなければならないという不便な点があった。
【発明の概要】
【発明が解決しようとする課題】
【０００４】
上記の問題点を解決するための本発明は、水の吸収層と研磨、しつこい汚れ除去層を接着によって一つ又はそれ以上連続的に付着させ、洗浄物や洗浄部位の水気や残余物などをきれいに拭き取ることによる洗浄力の優秀さに加え、耐久性及び材質の特性上、頻繁に使用しても容易に破損しない多目的洗浄用パッドを提供する。
【課題を解決するための手段】
【０００５】
上記の課題を解決するための本発明の多用途洗浄用パッドは、セルフォース（ＣＥＬＬＵ  ＦＯＲＣＥ）、ＰＶＡスポンジ、天然パルプ、極細糸からなる合成織物、毛織物（ＷＯＯＬ）、絹織物（ＳＩＬＫ）、綿織物（ＣＯＴＴＯＮ）、アクリル糸、ビスコースレーヨン（ＶＩＳＣＯＳＥ  ＲＡＹＯＮ）のうち、いずれか一つからなる水の吸収層と；  上記の水の吸収層の一面に接着剤を塗布して具備された、メラミン樹脂フォーム（ＭＥＬＡＭＩＮ  ＲＥＳＩＮ  ＦＯＡＭ）からなるスポンジ、ナイロン不織布、ポリウレタン、ベルクロ不織布、ステンレス圧延糸、銅糸、ポリエステルのうち、いずれか一つからなるしつこい汚れ除去層で構成される。
【発明の効果】
【０００６】
したがって、本発明の多目的洗浄用パッドは、水の吸収層としつこい汚れ除去層を接着によって一つ又はそれ以上連続的に付着させ、洗浄物や洗浄部位の水気や残余物などをきれいに拭き取ることによる洗浄力の優秀さに加え、耐久性及び材質の特性上、頻繁に使用しても容易に破損しない効果がある。
【０００７】
そして、本発明の多目的洗浄用パッドは、使用方法によってモップ用ぞうきん、たわし、一般のぞうきんなど、多様に適用できるものである。
【図面の簡単な説明】
【０００８】
【図１】本発明による洗浄用パッドを示した断面図である。
【図２】本発明による洗浄用パッドの他の実施例を示した断面図である。
【発明を実施するための形態】
【０００９】
以下、添付した図面を利用して本発明をもう少し詳細に説明すると、次のとおりである。
【００１０】
図１に図示したとおり、本発明の多用途洗浄用パッドは、水の吸収力に優れるとともに環境にもやさしい水の吸収層（１０）と、上記の水の吸収層（１０）の一側面に付着され、洗浄部位をきれいに洗浄するしつこい汚れ除去層（２０）と、上記の水の吸収層（１０）としつこい汚れ除去層（２０）間を接着させる接着剤（３０）からなる。
【００１１】
上記の水の吸収層（１０）は、セルフォース（ＣＥＬＬＵ  ＦＯＲＣＥ）、ＰＶＡスポンジ、天然パルプ、極細糸からなる合成織物、毛織物（ＷＯＯＬ）、絹織物（ＳＩＬＫ）、綿織物（ＣＯＴＴＯＮ）、アクリル糸、ビスコースレーヨン（ＶＩＳＣＯＳＥ  ＲＡＹＯＮ）などで具備することのできるものである。
【００１２】
そして、上記の水の吸収層（１０）は、水気の吸収力が素早く、伸縮性と復元力に優れた材質で具備されることが望ましい。
【００１３】
上記のしつこい汚れ除去層（２０）は、メラミン樹脂フォーム（ＭＥＬＡＭＩＮ  ＲＥＳＩＮ  ＦＯＡＭ）からなるスポンジ、ナイロン不織布、ポリウレタン、ベルクロ不織布、ステンレス圧延糸、銅糸、ポリエステルなどで具備することのできるものである。
【００１４】
そして、上記のしつこい汚れ除去層（２０）は、特性上、反復してこする動作だけでも簡単にしつこい汚れや染みを除去できるものである。
【００１５】
上記の接着剤（３０）は、水の吸収層（１０）又はしつこい汚れ除去層（２０）に等しく塗布して付着させるのはもちろん、多様な方法で付着させることのできるものである。
【００１６】
そして、上記の水の吸収層（１０）としつこい汚れ除去層（２０）は、互いに縦方向に反復的に付着して使用することのできるものである。
【００１７】
上記のような本発明において、多用途洗浄用パッドの作用及び効果を説明すると、各種食器、タイル、家電製品などの水や染み及びしつこい汚れの洗浄作業を行うにあたり、先ず水や染みの除去時には、上記のパッドの水気をあらかた除去してから、上記の水の吸収層（１０）が洗浄物や洗浄部位に接触されながら水を吸収し、続いて上記のしつこい汚れ除去層（２０）が洗浄物や洗浄部位に密着されながら染みなどを除去することになる。
【００１８】
そして、しつこい汚れの除去時には、一般的にぞうきんやブラシなどで洗浄物や洗浄部位を１次洗浄した後、上記のパッドを少し水で湿らせてから、上記のパッドを軽く押し、先ず上記のしつこい汚れ除去層（２０）でしつこい汚れ部分を数回こすり、このときに発生するしつこい汚れの残存物を上記の吸収層（１０）でこすって外に除去する。このような方式で順々に洗浄物や洗浄部位のしつこい汚れを除去する。このように、上記のパッドが縦方向に具備されているため、強い力でパッドを押さなくても容易にしつこい汚れを除去できるのである。また、上記のパッドの水の吸収層（１０）としつこい汚れ除去層（２０）を順に配列させることで、摩擦によるしつこい汚れの除去と、このときに発生するしつこい汚れの残存物の除去を同時に行うことができ、短時間内に洗浄作業が行われる。
【００１９】
図２に図示されているとおり、本発明の多用途洗浄用パッドは、上記の水の吸収層（１０）としつこい汚れ除去層（２０）の間に、接着剤（２０）によって付着されるクッション層（４０）が具備される。
【００２０】
上記のクッション層（４０）は、セルフォース（ＣＥＬＬＵ  ＦＯＲＣＥ）、スポンジ、合成樹脂、ポリウレタンフォームなどで具備することのできるものである。
【００２１】
そして、上記のクッション層（４０）は、洗浄物や洗浄部位に密着されながら発生する摩擦熱により、髪の毛やホコリなどを効果的に吸着できるものである。
【００２２】
また、上記のクッション層（４０）は、吸収した水気の除去時に元の形態への復元が素早くなされ、復元力が卓越しており、上記の水の吸収層（１０）としつこい汚れ除去層（２０）の間に配置され、使用方法に応じて収縮／復元が自然になされるので、使用上の便利さに加え、接着剤（３０）によって上記の水の吸収層（１０）としつこい汚れ除去層（２０）を接着する際に、接着力を倍加させることができる。
【００２３】
上記で説明したとおり、本発明の課題と同一の範囲内で多様な設計変更を試みることもできるであろうが、こうした設計変更によって本発明において全く予想できなかった新しい効果が現れない限り、本発明の権利範囲を超えることはできないであろう。
【符号の説明】
【００２４】
１０：  水の吸収層
２０：  しつこい汚れ除去層
３０：  接着剤
４０：  クッション層
【図１】
2014510584.tif 000003
【図２】
2014510584.tif 000004
【国際調査報告】
2014510584.tif 000005
2014510584.tif 000006
2014510584.tif 000007
2014510584.tif 000008